【手続補正書】
【提出日】令和3年10月19日(2021.10.19)
【手続補正１】
【補正対象書類名】特許請求の範囲
【補正対象項目名】全文
【補正方法】変更
【補正の内容】
【特許請求の範囲】
【請求項１】
可撓性パッケージング材の密封に好適である化学線硬化性接着剤組成物であって、
（Ａ）不活性ウレタンポリマーと、
（Ｂ）少なくとも１種の単官能性エチレン性不飽和モノマーまたはオリゴマー、少なくとも１種の多官能性エチレン性不飽和モノマーまたはオリゴマー、およびそれらの組み合わせから選択されるエチレン性不飽和成分とを含み、前記エチレン性不飽和成分が前記不活性ウレタンポリマーを分散させる、化学線硬化性接着剤組成物。
【請求項２】
前記不活性ウレタンポリマーが、ポリオールおよびポリイソシアネートを含む、請求項１に記載の化学線硬化性接着剤組成物。
【請求項３】
前記ポリオールが、５０〜２０００ダルトンの分子量を有する第１のジオールと、好ましくは約４２５〜約３０００ダルトンの重量平均分子量を有する第２の高分子ジオールとを含む、請求項２に記載の化学線硬化性接着剤組成物。
【請求項４】
前記第１のジオールが、脂肪族ジオール、ポリエーテルジオールおよびポリカプロラクトンジオールならびにそれらの組み合わせから選択される、請求項３に記載の化学線硬化性接着剤組成物。
【請求項５】
前記高分子ジオールが、ポリエーテルジオール、ポリカプロラクトンジオール、ポリプロピレングリコール、およびアルファ−ヒドロオメガ−ヒドロキシ−ポリ（オキシ−１，４−ブチルジイル）から選択される、請求項３または４に記載の化学線硬化性接着剤組成物。
【請求項６】
前記ポリイソシアネートが、芳香族ジイソシアネート、脂肪族ジイソシアネート、４，４’−ジフェニルメタンジイソシアネート、４，４’−ジシクロヘキシルジイソシアネート、ヘキサメチレンジイソシアネート、メタ−テトラメチレン−キシレンジイソシアネート、イソホロンジイソシアネート、トルエンジイソシアネートおよびそれらの異性体、１，５−ナフチレンジイソシアネート、２，４−ジフェニルメタンジイソシアネート、４，４’−ジフェニルメタンジイソシアネート、水素化２，４−ジフェニルメタンジイソシアネート、水素化４，４’−ジフェニルメタンジイソシアネート、キシリレンジイソシアネート、テトラメチルキシリレンジイソシアネート、４，４’−ジフェニルジメチルメタンジイソシアネート、ジ−ジフェニルメタンジイソシアネート、テトラアルキレンジフェニルメタンジイソシアネート、４，４’−ジベンジルジイソシアネート、１，３−フェニレンジイソシアネート、１，４−フェニレンジイソシアネート、１−メチル−２，４−ジイソシアナトシクロヘキサン、１，６−ジイソシアナト−２，２，４−トリメチルヘキサン、１，６−ジイソシアナト−２，４，４−トリメチルヘキサン、１−イソシアナトメチル−３−イソシアナト−１，５，５−トリメチルシクロヘキサン、塩素化および臭素化ジイソシアネート、リン含有ジイソシアネート、４，４’−ジイソシアナトフェニルペルフルオロエタン、テトラメトキシブタン−１，４−ジイソシアネート、ブタン−１，４−ジイソシアネート、ヘキサン−１，６−ジイソシアネート、ジシクロヘキシルメタンジイソシアネート、シクロヘキサン−１，４−ジイソシアネート、エチレンジイソシアネート、フタル酸−ビス−イソシアナトエチルエステル；反応性ハロゲン原子を含むジイソシアネート、ならびにそれらの組み合わせから選択される、請求項２〜５のいずれか一項に記載の化学線硬化性接着剤組成物。
【請求項７】
前記不活性ウレタンポリマーが連鎖延長成分を含む、請求項２〜６のいずれか一項に記載の化学線硬化性接着剤組成物。
【請求項８】
前記連鎖延長成分が、二官能性アミン、ヒドラジン、ジオール、およびそれらの組み合わせから選択される、請求項７に記載の化学線硬化性接着剤組成物。
【請求項９】
前記連鎖延長成分が、前記不活性ウレタンポリマー中に、前記ウレタンプレポリマー上の未反応イソシアネート（−ＮＣＯ）基の当量に基づいて、６０％〜１４０％の量で存在する、請求項１〜８のいずれか一項に記載の化学線硬化性接着剤組成物。
【請求項１０】
前記不活性ウレタンポリマーの前記連鎖延長成分がモノアミンをさらに含む、請求項１〜９のいずれか一項に記載の化学線硬化性接着剤組成物。
【請求項１１】
前記エチレン性不飽和成分が、単官能性および多官能性のアクリレート、メタクリレート、およびそれらの組み合わせから選択される、請求項１〜１０のいずれか一項に記載の化学線硬化性接着剤組成物。
【請求項１２】
前記エチレン性不飽和成分が、２−ヒドロキシエチルアクリレート、２−［（ブチルカルバモイル）オキシ］エチルアクリレート、４−ヒドロキシブチルアクリレート、プロポキシ化ネオペンチルグリコールジアクリレート、アミン変性ポリエーテルアクリレート、ポリ（オキシ−１，２−エタンジイル）、アルコキシ化脂肪族ジアクリレート、アルコキシ化ネオペンチルグリコールジアクリレート、１，４−ブタンジオールジアクリレート、１，３−ブチレングリコールジアクリレート、シクロヘキサンジメタノールジアクリレート、ジエチレングリコールジアクリレート、ジプロピレングリコールジアクリレート、１，６−ヘキサンジオールジアクリレート、ネオペンチルグリコールジアクリレート、ポリエステルジアクリレート、ポリエチレングリコール（２００）ジアクリレート、ポリエチレングリコール（４００）ジアクリレート、ポリエチレングリコール（６００）ジアクリレート、テトラエチレングリコールジアクリレート、トリシクロデカンジメタノールジアクリレート、トリエチレングリコールジアクリレートおよびトリプロピレングリコールジアクリレート、エトキシ化（３）トリメチルオルプロパントリアクリレート、エトキシ化（６）トリメチロールプロパントリアクリレート、エトキシ化（９）トリメチロールプロパントリアクリレート、エトキシ化（１５）トリメチロールプロパントリアクリレート、エトキシ化（２０）トリメチロールプロパントリアクリレート、ペンタエリスリトールトリアクリレート、プロポキシ化（３）グリセリルトリアクリレート、プロポキシ化（３）グリセリルトリアクリレート、プロポキシ化（５．５）グリセリルトリアクリレート、プロポキシ化（３）トリメチロールプロパントリアクリレート、プロポキシ化（６）トリメチロールプロパントリアクリレート、トリメチロールプロパントリアクリレートおよびトリス−（２−ヒドロキシエチル）−イソシアヌレートトリアクリレート、ジ−（トリメチロールプロパン）−テトラアクリレート、エトキシ化（４）ペンタエリスリトールテトラアクリレート、ポリエステルテトラアクリレート、ジペンタエリスリトールペンタアクリレート、ペンタアクリレートエステルおよびペンタエリスリトールテトラアクリレート、エポキシアクリレートオリゴマー、ポリエステルアクリレートオリゴマー、エトキシ化アクリレートオリゴマー、不飽和ポリエステルオリゴマー、ポリアミドアクリレートオリゴマー、ポリイミドアクリレートオリゴマー、およびウレタンアクリレートオリゴマーおよびメチルアクリレートオリゴマー、ならびにそれらの組み合わせから選択される、請求項１〜１１のいずれか一項に記載の化学線硬化性接着剤組成物。
【請求項１３】
前記不活性ウレタンポリマーが、前記接着剤組成物中に１０重量％〜９０重量％の量で存在する、請求項１〜１２のいずれか一項に記載の化学線硬化性接着剤組成物。
【請求項１４】
少なくとも１種の光開始剤をさらに含む、請求項１〜１３のいずれか一項に記載の化学線硬化性接着剤組成物。
【請求項１５】
前記組成物が無溶媒である、請求項１〜１４のいずれか一項に記載の化学線硬化性接着剤組成物。
【請求項１６】
前記組成物が一成分接着剤系である、請求項１〜１５のいずれか一項に記載の化学線硬化性接着剤組成物。
【請求項１７】
パッケージを形成するように構成された可撓性基材材料を含む可撓性パッケージであって、可撓性基材材料の端部が、請求項１〜１６のいずれか一項に記載の化学線硬化性接着剤組成物で一緒に結合され、前記化学線硬化性接着剤組成物が化学線照射で硬化されている、可撓性パッケージ。
【請求項１８】
パッケージを形成するように構成された２枚の可撓性シートを備えた可撓性パッケージであって、前記可撓性シートが、化学線照射で硬化されている請求項１〜１６のいずれか一項に記載の接着剤組成物で一緒に積層されている、可撓性パッケージ。
【請求項１９】
化学線照射に曝露されている、請求項１〜１８のいずれか一項に記載の化学線硬化性接着剤組成物で、第２の基材材料に積層された第１の基材材料を含む、積層構造体。
【請求項２０】
可撓性パッケージング材の密封に好適である化学線硬化性接着剤組成物の調製方法であって、
（Ａ）少なくとも１種のポリオールおよび少なくとも１種のポリイソシアネートからウレタンプレポリマーを合成する工程と、
（Ｂ）エチレン性不飽和成分の存在下で前記ウレタンプレポリマーを連鎖延長して不活性ウレタンポリマーを提供する工程であって、前記エチレン性不飽和成分が、少なくとも１種の単官能性エチレン性不飽和モノマーまたはオリゴマー、少なくとも１種の多官能性エチレン性不飽和モノマーまたはオリゴマー、およびそれらの組み合わせから選択され、前記エチレン性不飽和成分が前記不活性ウレタンポリマーを分散させる、提供する工程と、を含む、方法。
【請求項２１】
前記二官能性アミンが、メチレンジアミン、エチレンジアミン、ジアミノシクロヘキサン、ヘキサメチレンジアミン、ピペラジン、イソホロンジアミン、およびそれらの組み合わせから選択される、請求項８に記載の化学線硬化性接着剤組成物。